【手続補正書】
【提出日】平成25年1月31日(2013.1.31)
【手続補正１】
【補正対象書類名】特許請求の範囲
【補正対象項目名】全文
【補正方法】変更
【補正の内容】
【特許請求の範囲】
【請求項１】
ネットワーク上の文書管理サーバーと、該文書管理サーバーの文書を印刷する画像形成装置とを有する印刷システムであって、
前記画像形成装置が、
印刷を指定された文書が印刷可能なファイル形式でない場合に、該文書を管理する文書管理サーバーが前記画像形成装置と同じネットワークに存在するか否かを判定する判定手段と、
前記文書管理サーバーが前記画像形成装置と同じネットワークに存在しないと判定された場合に、該同じネットワークに存在する他の画像形成装置の印刷可能なファイル形式情報を取得して前記文書管理サーバーへ送信する送信手段とを有し、
前記文書管理サーバーが、前記他の画像形成装置の印刷可能なファイル形式情報を受信し、前記文書を印刷可能な画像形成装置を前記画像形成装置に通知する通知手段を有し、
前記画像形成装置が、前記文書を印刷可能な画像形成装置に対して代行印刷を指示する指示手段を更に有し、
前記代行印刷を指示された画像形成装置が、前記文書管理サーバーから前記文書を取得し、該文書のファイル形式を変換し、変換されたファイル形式の文書を代行印刷する代行印刷手段を有することを特徴とする印刷システム。
【請求項２】
前記通知手段は前記文書を印刷可能な画像形成装置のリストを前記画像形成装置に通知し、前記指示手段は前記リストからユーザによって指定された画像形成装置に対して代行印刷を指示することを特徴とする請求項１に記載の印刷システム。
【請求項３】
ネットワーク上の文書管理サーバーと、該文書管理サーバーの文書を印刷する画像形成装置とを有する印刷システムであって、
前記画像形成装置が、
印刷を指定された文書が印刷可能なファイル形式でない場合に、該文書を管理する文書管理サーバーが前記画像形成装置と同じネットワークに存在するか否かを判定する判定手段と、
前記文書管理サーバーが前記画像形成装置と同じネットワークに存在しないと判定された場合に、該同じネットワークに存在する他の画像形成装置の印刷可能なファイル形式を取得して前記文書管理サーバーへ送信する送信手段とを有し、
前記文書管理サーバーが、前記他の画像形成装置の印刷可能なファイル形式を受信し、前記文書を印刷可能な画像形成装置を前記画像形成装置に通知する通知手段を有し、
前記画像形成装置が、前記文書を印刷可能な画像形成装置に対して前記ファイル形式の変換を指示する指示手段を更に有し、
前記変換を指示された画像形成装置が、前記文書のファイル形式を変換する変換手段を更に有し、
前記画像形成装置が前記変換されたファイル形式の文書を印刷する印刷手段を更に有することを特徴とする印刷システム。
【請求項４】
前記変換手段は、前記文書管理サーバーから前記文書を取得し、該文書のファイル形式を変換し、変換されたファイル形式の文書を前記画像形成装置へ送信する手段を含むことを特徴とする請求項３に記載の印刷システム。
【請求項５】
文書管理サーバーと通信する画像形成装置であって、
印刷を指定された文書が印刷可能なファイル形式でない場合に、前記文書を管理する文書管理サーバーが前記画像形成装置と同じネットワークに存在するか否かを判定する判定手段と、
前記判定手段によって、前記文書管理サーバーが前記画像形成装置と同じネットワークに存在しないと判定された場合に、前記同じネットワークに存在する他の画像形成装置の印刷可能なファイル形式を取得して前記文書管理サーバーへ送信する送信手段を有することを特徴とする画像形成装置。
【請求項６】
前記送信手段により送信された他の画像形成装置の印刷可能なファイル形式に従って前記文書管理サーバーが選択した前記文書を印刷可能な他の画像形成装置を受信する受信手段と、
前記受信手段により受信された他の画像形成装置に対して前記文書の代行印刷を指示する指示手段とを更に有することを特徴とする請求項５に記載の画像形成装置。
【請求項７】
前記送信手段により送信された他の画像形成装置の印刷可能なファイル形式に従って前記文書が他の画像形成装置に送信された場合、前記他の画像形成装置において印刷可能なファイル形式に変換されたファイルを受信する受信手段と、
前記受信手段により受信されたファイルを印刷する印刷手段とを更に有することを特徴とする請求項５に記載の画像形成装置。
【請求項８】
ネットワーク上の文書管理サーバーと、該文書管理サーバーの文書を印刷する画像形成装置とを有する印刷システムの印刷方法であって、
前記画像形成装置が、印刷を指定された文書が印刷可能なファイル形式でない場合に、該文書を管理する文書管理サーバーが前記画像形成装置と同じネットワークに存在するか否かを判定する判定工程を実行し、
前記画像形成装置が、前記文書管理サーバーが前記画像形成装置と同じネットワークに存在しないと判定された場合に、該同じネットワークに存在する他の画像形成装置の印刷可能なファイル形式を取得して前記文書管理サーバーへ送信する送信工程を実行し、
前記文書管理サーバーが、前記他の画像形成装置の印刷可能なファイル形式を受信し、前記文書を印刷可能な画像形成装置を前記画像形成装置に通知する通知工程を実行し、
前記画像形成装置が、前記文書を印刷可能な画像形成装置に対して代行印刷を指示する指示工程を実行し、
前記代行印刷を指示された画像形成装置が、前記文書管理サーバーから前記文書を取得し、該文書のファイル形式を変換し、変換されたファイル形式の文書を代行印刷する代行印刷工程を実行することを特徴とする印刷システムの印刷方法。
【請求項９】
ネットワーク上の文書管理サーバーと、該文書管理サーバーの文書を印刷する画像形成装置とを有する印刷システムの印刷方法であって、
前記画像形成装置が、印刷を指定された文書が印刷可能なファイル形式でない場合に、該文書を管理する文書管理サーバーが前記画像形成装置と同じネットワークに存在するか否かを判定する判定工程を実行し、
前記画像形成装置が、前記文書管理サーバーが前記画像形成装置と同じネットワークに存在しないと判定された場合に、該同じネットワークに存在する他の画像形成装置の印刷可能なファイル形式を取得して前記文書管理サーバーへ送信する送信工程を実行し、
前記文書管理サーバーが、前記他の画像形成装置の印刷可能なファイル形式を受信し、前記文書を印刷可能な画像形成装置を前記画像形成装置に通知する通知工程を実行し、
前記画像形成装置が、前記文書を印刷可能な画像形成装置に対して前記ファイル形式の変換を指示する指示工程を実行し、
前記変換を指示された画像形成装置が、前記文書のファイル形式を変換する変換工程を実行し、
前記画像形成装置が前記変換されたファイル形式の文書を印刷する印刷工程を実行することを特徴とする印刷システムの印刷方法。
【請求項１０】
文書管理サーバーと通信する画像形成装置の制御方法であって、
判定手段が、印刷を指定された文書が印刷可能なファイル形式でない場合に、前記文書を管理する文書管理サーバーが前記画像形成装置と同じネットワークに存在するか否かを判定する判定工程と、
送信手段が、前記判定工程において前記文書管理サーバーが前記画像形成装置と同じネットワークに存在しないと判定された場合に、前記同じネットワークに存在する他の画像形成装置の印刷可能なファイル形式を取得して前記文書管理サーバーへ送信する送信工程を有することを特徴とする画像形成装置の制御方法。
【請求項１１】
コンピュータを、請求項１乃至４の何れか１項に記載の印刷システムにおける文書管理サーバーとして機能させるためのプログラム。
【請求項１２】
コンピュータを、請求項１乃至４の何れか一項に記載の印刷システムにおける画像形成装置として機能させるためのプログラム。
【請求項１３】
コンピュータを、請求項５乃至７のいずれか一項に記載の画像形成装置として機能させるためのプログラム。
【手続補正２】
【補正対象書類名】明細書
【補正対象項目名】発明の名称
【補正方法】変更
【補正の内容】
【発明の名称】印刷システム及びその印刷方法、画像形成装置とその制御方法及びプログラム